(57)【要約】【課題】空調装置の空気吸込口前面に取り付けて用いられる吸込パネルにおいて、吸込パネル上に支持されたり吸込パネルに一体化されたりするエアフィルタの清掃、交換や空調装置のメンテナンス等のために吸込パネルを取り外す際に、吸込パネルの表面に堆積した埃の落下を簡単に防止することができる吸込パネルを提供することを目的とする。【解決手段】空調装置の空気吸込口前面に取り付けて用いられる吸込パネル１において、前記空気吸込口前面に対して脱着可能となるように略板状に形成され、前記空気吸込口前面に取り付けられた状態で該空気吸込口に取り込まれる空気を通り抜けさせる吸込パネル本体１１と、前記吸込パネル本体１１の前面を露出及び隠蔽可能となるように前記吸込パネル本体１１に対して動作可能に取り付けられた被覆部１２とを備える。【選択図】図２
2011112250.tif 000002
【特許請求の範囲】
【請求項１】
空調装置の空気吸込口前面に取り付けて用いられる吸込パネルであって、
前記空気吸込口前面に対して脱着可能となるように略板状に形成され、前記空気吸込口前面に取り付けられた状態で該空気吸込口に取り込まれる空気を通り抜けさせる吸込パネル本体と、
前記吸込パネル本体の前面を露出及び隠蔽可能となるように前記吸込パネル本体に対して動作可能に取り付けられた被覆部と
を備えることを特徴とする吸込パネル。
【請求項２】
前記吸込パネル本体は略線対称形状に形成され、
前記被覆部は、
前記吸込パネル本体の前記略線対称形状の対称軸の両側に位置する第１の部分と第２の部分とのうち第１の部分の外周に沿う略コ字形状に形成され、前記吸込パネル本体に対して揺動可能となるように両端部が該吸込パネル本体の外周が前記対称軸と交差する部位に回動自在に取り付けられた枠体と、
一端部が前記吸込パネル本体の前記第１の部分の外周に固定され、他端部が前記枠体の中間部に固定された被覆膜と
を含み、
前記被覆膜はプリーツ状に折り畳み可能に形成され、前記枠体が前記吸込パネル本体の前記第１の部分側に位置するときに該第１の部分の外周と前記枠体の中間部との間に折り畳まれて前記吸込パネル本体の前面を露出させ、前記枠体が前記吸込パネル本体の前記第２の部分側に位置するときに展張されて前記吸込パネル本体の前面を隠蔽するように該吸込パネル本体の前面に沿って延在すること
を特徴とする請求項１に記載の吸込パネル。
【請求項３】
前記吸込パネル本体は略長方形状に形成され、
前記被覆部は、
前記吸込パネル本体の互いに対向する二辺にそれぞれ沿うようにして取り付けられた一対の巻取軸と、
両端部が前記一対の巻取軸に巻き付けられた状態で前記吸込パネル本体の前面に沿って延在する被覆膜と
を含み、
前記被覆膜は、前記吸込パネル本体の前面を露出させるように形成された露出孔を備える露出部と、前記吸込パネル本体の前面を隠蔽するように形成された隠蔽部とを備え、前記隠蔽部が前記一対の巻取軸の一方に巻き付けられているとき前記露出部の前記露出孔は前記吸込パネル本体の前面の略全体を露出させ、前記露出部が前記一対の巻取軸の他方に巻き付けられているとき前記隠蔽部は前記吸込パネル本体の前面の略全体を隠蔽すること
を特徴とする請求項１に記載の吸込パネル。
【請求項４】
前記吸込パネル本体は略長方形状に形成され、
前記被覆部は、
前記吸込パネル本体の一辺に沿うようにして取り付けられた巻取軸と、
前記吸込パネル本体の前面に沿って前記巻取軸の長さ方向と略直角な方向に移動可能となるように前記吸込パネル本体に支持された先端軸と、
一端部が前記巻取軸に巻き付けられ、他端部が前記先端軸に固定された被覆膜と
を含み、
前記先端軸が前記巻取軸に最も近づいた位置にあるとき、前記被覆膜の略全体は前記巻取軸に巻き付けられて前記吸込パネル本体の前面の略全体を露出させ、前記先端軸が前記巻取軸から最も遠ざかった位置にあるとき、前記被覆膜は前記吸込パネル本体の前面の略全体を隠蔽するように該吸込パネルの前面に沿って延在すること
を特徴とする請求項１に記載の吸込パネル。
【請求項５】
請求項１から４のいずれかに記載された吸込パネルを空気吸込口前面に備えていることを特徴とする空調装置。
【発明の詳細な説明】
【技術分野】
【０００１】
本発明は、主として天井に設置される空調装置の空気吸込口前面に取り付けて用いられる吸込パネル、およびこれを備えた空調装置に関するものである。
【背景技術】
【０００２】
一般に、天井内に埋設されるか天井下に吊り下げられるタイプの、温度、湿度、空気清浄度等の調整用の空調装置においては、該空調装置の下面に空気吸込口が設けられ、この空気吸込口の前面を覆うようにして吸込グリル等の吸込パネルが取り付けられる。吸込パネルの裏側にはエアフィルタが取り付けられたり、吸込パネルにエアフィルタが一体化されたりして、吸込パネルを通じて空気吸込口から空調装置の内部に取り込まれる空気から埃が取り除かれるようになっている。
【０００３】
このため、裏側にエアフィルタが取りつけられたり、エアフィルタが一体化されたりする吸込パネルの前面には、エアフィルタによって取り除かれた埃が堆積する。そこで、吸込パネルを取り外してエアフィルタに堆積した埃を清掃したり、エアフィルタを新しいものと交換したりする作業を定期的に行う必要がある。
【０００４】
また、空調装置の内部の点検やメンテナンスの作業を行う際にも、作業者が空調装置の内部にアクセスできるように吸込パネルを取り外す必要がある。
【０００５】
このように吸込パネルを取り外す際には、吸込パネルは空調装置の下面に設けられた空気吸込口の前面を覆うようにして取り付けられているので、吸込パネルの取り外し作業に伴う振動によって、吸込パネルの前面に堆積した埃が空調装置下方の室内に落下してしまう。しかし、空調装置が特に食品工場や飲食店等の室内の天井に設けられている場合には、埃が室内に落下してしまうことは衛生上好ましくない。
【０００６】
空調装置の吸込パネルを取り外す際の埃の落下を防止するための仕組みとして、例えば特許文献１に開示された技術が知られている。この技術では、空調装置の下面に設けられた化粧パネルに形成された中央開口の奥部に吸込空気を清浄化するためのフィルタを設け、前記中央開口を両側に吸込口空間を残して塞ぐセンターパネルを設け、前記センターパネルには所定高さの脚部を介して前記フィルタを支持させ、このフィルタと一体的に前記センターパネルを昇降自在となるように形成している。この構成により、センターパネルを空調装置本体から下降させ、センターパネルに支持されたフィルタを低所で取り外して交換あるいは清掃することができる。センターパネルの下降時に振動が発生したとしても、フィルタに付着する埃はセンターパネルの上に落下し、そこに捕集されるので、埃が室内に落下することがない。
【先行技術文献】
【特許文献】
【０００７】
【特許文献１】特開平１０−１９６９９９号公報
【発明の概要】
【発明が解決しようとする課題】
【０００８】
しかし、この方法では、センターパネルを空調装置本体に対して昇降させるため、センターパネルを吊り下げる吊りひもを繰り出したり巻き取ったりするモータやシャフト・プーリなどの複雑な構造が必要となり、空調装置の構造を複雑にするとともに空調装置の価格を上昇させてしまう。また、吊りひもの巻き取りが不完全に行われるたびに空調装置の修理をする必要が生じていた。
【０００９】
本発明は、このような事情に鑑みてなされたものであって、空調装置の空気吸込口前面に取り付けて用いられる吸込パネルにおいて、吸込パネル上に支持されたり吸込パネルに一体化されたりするエアフィルタの清掃、交換や空調装置のメンテナンス等のために吸込パネルを取り外す際に、吸込パネルの表面に堆積した埃の落下を簡単に防止することができる吸込パネル、およびこれを備えた空調装置を提供することを目的とする。
【課題を解決するための手段】
【００１０】
上記課題を解決するために、本発明は以下の手段を採用する。
【００１１】
本発明の第１の態様に係る吸込パネルは、空調装置の空気吸込口前面に取り付けて用いられる吸込パネルであって、前記空気吸込口前面に対して脱着可能となるように略板状に形成され、前記空気吸込口前面に取り付けられた状態で該空気吸込口に取り込まれる空気を通り抜けさせる吸込パネル本体と、前記吸込パネル本体の前面を露出及び隠蔽可能となるように前記吸込パネル本体に対して動作可能に取り付けられた被覆部とを備えている。
【００１２】
この吸込パネルによれば、吸込パネル上に支持されたり吸込パネルに一体化されたりするエアフィルタの清掃、交換や空調装置のメンテナンス等の作業を行うために吸込パネルを空調装置の空気吸込口前面から取り外す際に、埃が堆積した吸込パネル本体の前面を予め被覆部で隠蔽するように覆った状態を保ちながら吸込パネル本体を空調装置の空気吸込口前面から取り外すことにより、吸込パネル本体の前面に堆積した埃が空調装置の下方の室内に落下することを簡単に防止できる。
【００１３】
本発明の第１の態様に係る吸込パネルにおいては、前記吸込パネル本体は略線対称形状に形成され、前記被覆部は、前記吸込パネル本体の前記略線対称形状の対称軸の両側に位置する第１の部分と第２の部分とのうち第１の部分の外周に沿う略コ字形状に形成され、前記吸込パネル本体に対して揺動可能となるように両端部が該吸込パネル本体の外周が前記対称軸と交差する部位に回動自在に取り付けられた枠体と、一端部が前記吸込パネル本体の前記第１の部分の外周に固定され、他端部が前記枠体の中間部に固定された被覆膜とを含み、前記被覆膜はプリーツ状に折り畳み可能に形成され、前記枠体が前記吸込パネル本体の前記第１の部分側に位置するときに該第１の部分の外周と前記枠体の中間部との間に折り畳まれて前記吸込パネル本体の前面を露出させ、前記枠体が前記吸込パネル本体の前記第２の部分側に位置するときに展張されて前記吸込パネル本体の前面を隠蔽するように該吸込パネル本体の前面に沿って延在することが望ましい。
【００１４】
本構成によれば、枠体を吸込パネル本体の第１の部分側から第２の部分側に移動させることによって、プリーツ状に形成され第１の部分の外周と枠体の中間部との間に折り畳まれていた被覆膜が展張されて、被覆膜が吸込パネル本体の前面を隠蔽するように吸込パネル本体の前面に沿って延在するようになる。したがって、吸込パネルを空調装置の空気吸込口前面から取り外す際に、簡単な作業で吸込パネル本体の前面を被覆膜で覆い、吸込パネル本体の表面に堆積した埃が空調装置の下方の室内に落下することを簡単に防止できる。
【００１５】
また、枠体を吸込パネル本体の第２の部分側から第１の部分側に移動させるとともに、プリーツ状に形成された被覆膜を吸込パネル本体の第１の部分の外周と枠体の中間部との間に折り畳んで収納することによって、被覆膜から吸込パネル本体の前面が露出される。したがって、吸込パネル本体を空調装置の空気吸込口前面に再び取り付ける際に、吸込パネル本体の前面を被覆膜から簡単に露出させることができる。
【００１６】
あるいは、前記吸込パネル本体は略長方形状に形成され、前記被覆部は、前記吸込パネル本体の互いに対向する二辺にそれぞれ沿うようにして取り付けられた一対の巻取軸と、両端部が前記一対の巻取軸にそれぞれ巻き付けられた状態で前記吸込パネル本体の前面に沿って延在する被覆膜とを含み、前記被覆膜は、前記吸込パネル本体の前面を露出させるように形成された露出孔を備える露出部と、前記吸込パネル本体の前面を隠蔽するように形成された隠蔽部とを備え、前記隠蔽部が前記一対の巻取軸の一方に巻き付けられているとき前記露出部の前記露出孔は前記吸込パネル本体の前面の略全体を露出させ、前記露出部が前記一対の巻取軸の他方に巻き付けられているとき前記隠蔽部は前記吸込パネル本体の前面の略全体を隠蔽することが望ましい。
【００１７】
本構成によれば、被覆膜の露出部を一対の巻取軸の他方に巻き付けることによって、一対の巻取軸の一方に巻き付けられていた被覆膜の隠蔽部が展張されて吸込パネル本体の前面を隠蔽するように吸込パネル本体の前面に沿って延在するようになる。したがって、吸込パネルを空調装置の空気吸込口前面から取り外す際に、簡単な作業で吸込パネル本体の前面を被覆膜の隠蔽部で覆い、吸込パネル本体の表面に堆積した埃が空調装置の下方の室内に落下することを簡単に防止できる。
【００１８】
また、被覆膜の隠蔽部を一対の巻取軸の一方に再び巻き付けることによって、吸込パネルを空調装置の空気吸込口前面から取り外す際に一対の巻取軸の他方に巻き付けた被覆膜の露出部が再び展張されて吸込パネル本体の前面に沿って延在するようになり、露出部の露出孔から吸込パネル本体の前面が露出される。したがって、吸込パネル本体を空調装置の空気吸込口前面に再び取り付ける際に、簡単な作業で吸込パネル本体の前面を露出部の露出孔から露出させることができる。
【００１９】
あるいは、前記吸込パネル本体は略長方形状に形成され、前記被覆部は、前記吸込パネル本体の一辺に沿うようにして取り付けられた巻取軸と、前記吸込パネル本体の前面に沿って前記巻取軸の長さ方向と略直角な方向に移動可能となるように前記吸込パネル本体に支持された先端軸と、一端部が前記巻取軸に巻き付けられ、他端部が前記先端軸に固定された被覆膜とを含み、前記先端軸が前記巻取軸に最も近づいた位置にあるとき、前記被覆膜の略全体は前記巻取軸に巻き付けられて前記吸込パネル本体の前面の略全体を露出させ、前記先端軸が前記巻取軸から最も遠ざかった位置にあるとき、前記被覆膜は前記吸込パネル本体の前面の略全体を隠蔽するように該吸込パネルの前面に沿って延在することが望ましい。
【００２０】
本構成によれば、被覆膜の他端部が固定された先端軸を巻取軸から遠ざかるように吸込パネル本体の前面に沿って移動させることによって、巻取軸に巻き付けられていた被覆膜が展張されて吸込パネル本体の前面の略全体を隠蔽するように吸込パネル本体の前面に沿って延在するようになる。したがって、吸込パネルを空調装置の空気吸込口前面から取り外す際に、簡単な作業で吸込パネル本体の前面を被覆膜で覆い、吸込パネル本体の表面に堆積した埃が空調装置の下方の室内に落下することを簡単に防止できる。
【００２１】
また、被覆膜の他端部が固定された先端軸を巻取軸に近づけるように吸込パネル本体の前面に沿って移動させ、被覆膜を巻取軸に再び巻き付けることによって、被覆膜から吸込パネル本体の前面が再び露出される。したがって、吸込パネル本体を空調装置の空気吸込口前面に再び取り付ける際に、簡単な作業で吸込パネル本体の前面を被覆膜から露出させることができる。
【００２２】
本発明の第２の態様に係る空調装置は、上記の吸込パネルを空気吸込口前面に備えている。
【００２３】
この空調装置によれば、上記の吸込パネルと同様の効果を得ることができる。
【発明の効果】
【００２４】
本発明の吸込パネルまたはこれを備えた空調装置によれば、吸込パネル上に支持されたり吸込パネルに一体化されたりするエアフィルタの清掃、交換や空調装置のメンテナンス等の作業を行うために空調装置の空気吸込口前面から吸込パネルを取り外す際に、埃が堆積した吸込パネル本体の前面を予め被覆部で隠蔽するように覆った状態で吸込パネル本体を空調装置の空気吸込口前面から取り外すことにより、吸込パネル本体の表面に堆積した埃が空調装置の下方の室内に落下することを簡単に防止できる。
【図面の簡単な説明】
【００２５】
【図１】本発明の第１実施形態に係る吸込パネルを示す斜視図である。
【図２】本発明の第１実施形態に係る吸込パネルにおいて、被覆部によって吸込パネル本体の前面が隠蔽される途中の状態を示す斜視図である。
【図３】本発明の第１実施形態に係る吸込パネルにおいて、被覆部によって吸込パネル本体の前面が隠蔽された状態を示す斜視図である。
【図４】本発明の第２実施形態に係る吸込パネルを示す斜視図である。
【図５】本発明の第２実施形態に係る吸込パネルにおいて、被覆部によって吸込パネル本体の前面が隠蔽される途中の状態を示す斜視図である。
【図６】本発明の第２実施形態に係る吸込パネルにおいて、被覆部によって吸込パネル本体の前面が被覆された状態を示す斜視図である。
【図７】本発明の第３実施形態に係る吸込パネルを示す斜視図である。
【図８】本発明の第３実施形態に係る吸込パネルの要部を示す拡大断面図である。
【図９】本発明の第３実施形態に係る吸込パネルの変形例の要部を示す拡大断面図である。
【図１０】本発明の第３実施形態に係る吸込パネルにおいて、被覆部によって吸込パネル本体の前面が隠蔽される途中の状態を示す斜視図である。
【図１１】本発明の第３実施形態に係る吸込パネルにおいて、被覆部によって吸込パネル本体の前面が隠蔽された状態を示す斜視図である。
【発明を実施するための形態】
【００２６】
以下に、本発明に係る吸込パネルおよびこれを備えた空調装置の実施形態について、図面を参照して説明する。
【００２７】
〔第１実施形態〕
以下、本発明の第１実施形態について、図１から図３を用いて説明する。第１実施形態の吸込グリル（吸込パネル）１は、天井内に埋設されるタイプの空調装置（図示せず）の下面に設けられた空気吸込口の前面を覆うようにして取り付けて用いられる。
【００２８】
図１に示すように、吸込グリル１は、吸込グリル本体（吸込パネル本体）１１と、被覆部１２とを備えている。吸込グリル本体１１は、空気吸込口前面に対して脱着可能となるように略長方形の板状に形成され、空気吸込口前面に取り付けられた状態でこの空気吸込口に取り込まれる空気を通り抜けさせるように、格子状に配置されたリブの間に多数の隙間が形成されている。被覆部１２は、吸込グリル本体１１の前面を露出及び隠蔽可能となるように吸込グリル本体に対して動作可能に取り付けられている。吸込グリル１の裏側にはエアフィルタ（図示せず）が取り付けられ、このエアフィルタによって空気吸込口から空調装置の内部に取り込まれる空気から埃が取り除かれるようになっている。
【００２９】
吸込グリル本体１１は、図１に示すように、対称軸Ａによって互いに対称な形状の第１の部分１１ａと第２の部分１１ｂとに区分されている。被覆部１２は、枠体１３と、被覆膜１７とを含んで構成されている。枠体１３は、吸込グリル本体１１のうち第１の部分１１ａあるいは第２の部分１１ｂの外周に沿う略コ字形状に形成されている。また、枠体１３の両端部１４、１５は、枠体１３が吸込グリル本体１１に対して揺動可能となるように、吸込グリル本体１１の外周が対称軸Ａと交差する部位に回動自在に取り付けられている。
【００３０】
被覆膜１７は、例えばポリエチレンシートによってプリーツ状に折り畳み可能に形成され、図２に示すように、一端部１８が吸込グリル本体１１の第１の部分１１ａの外周に固定され、他端部１９が枠体１３の中間部１６に固定されている。被覆膜１７は、図１に示すように枠体１３の中間部１６が吸込グリル本体１１の第１の部分１１ａ側に位置するときに、第１の部分１１ａの外周と枠体１３の中間部１６との間に折り畳まれて、吸込グリル本体１１の前面を露出させる。この状態で、吸込グリル１は空調装置の空気吸込口の前面に取り付けられて用いられる。
【００３１】
エアフィルタの清掃、交換や空調装置のメンテナンス等の作業を行うために吸込グリル１を空調装置の空気吸込口前面から取り外す際には、図２に示すように、枠体１３を吸込グリル本体１１の第１の部分１１ａ側から第２の部分１１ｂ側に約１８０度回して移動させる。これによって、第１の部分１１ａの外周と枠体１３の中間部１６との間に折り畳まれていた被覆膜１７が展張される。そして、図３に示すように、被覆膜１７が吸込グリル本体１１の前面を隠蔽するように吸込グリル本体１１の前面に沿って延在するようになる。この被覆膜１７の展張作業は、吸込グリル１が空調装置の空気吸込み口前面に取り付けられた状態、すなわち高所で行われる。しかし、枠体１３を吸込グリル本体１１の第１の部分１１ａ側から第２の部分１１ｂ側に回すだけで被覆膜１７が展張されるので、簡単な作業によって被覆膜１７で吸込グリル本体１１の前面を隠蔽するように覆うことができる。
【００３２】
そして、この状態を保ちつつ吸込グリル１を空調装置の空気吸込口前面から取り外し、必要に応じて吸込グリル１の裏側に取り付けられたエアフィルタを取り外してエアフィルタの清掃あるいは交換を行う。
【００３３】
エアフィルタの清掃、交換や空調装置のメンテナンス等の作業が終了したら、枠体１３を吸込グリル本体１１の第２の部分１１ｂ側から第１の部分１１ａ側に戻すように移動させて、被覆膜１７を吸込グリル本体１１の第１の部分１１ａの外周と枠体１３の中間部１６との間に折り畳んで収納することによって、被覆膜１７から吸込グリル本体１１の前面を露出させる。そして、吸込グリル１を再び空調装置の空気吸込口前面に取り付ける。
【００３４】
第１実施形態の吸込グリル１によれば、吸込グリル１上に支持されたエアフィルタの清掃や空調装置のメンテナンス等のために空調装置の空気吸込口前面から吸込グリル１を取り外す際に、埃が堆積した吸込グリル本体１１の前面を予め被覆膜１７で隠蔽するように覆った状態を保ちながら吸込グリル本体１１を空調装置の空気吸込口前面から取り外すことにより、吸込グリル本体１１の表面に堆積した埃が空調装置の下方の室内に落下することを簡単に防止できる。
【００３５】
具体的には、枠体１３を吸込グリル本体１１の第１の部分１１ａ側から第２の部分１１ｂ側に移動させることによって、プリーツ状に形成され第１の部分１１ａの外周と枠体１３の中間部１６との間に折り畳まれていた被覆膜１７が展張されて、被覆膜１７が吸込グリル本体１１の前面を隠蔽するように吸込グリル本体１１の前面に沿って延在するようになる。したがって、吸込グリル１を空調装置の空気吸込口前面から取り外す際、簡単な作業で吸込グリル本体１１の前面を被覆膜１７で覆い、吸込グリル本体１１の表面に堆積した埃が空調装置の下方の室内に落下することを簡単に防止できる。
【００３６】
また、枠体１３を吸込グリル本体１１の第２の部分１１ｂ側から第１の部分１１ａ側に移動させるとともに、プリーツ状に形成された被覆膜１７を吸込グリル本体１１の第１の部分１１ａの外周と枠体１３の中間部１６との間に折り畳んで収納することによって、被覆膜１７から吸込グリル本体１１の前面が露出される。したがって、吸込グリル本体１１を空調装置の空気吸込口前面に再び取り付ける際、吸込グリル本体１１の前面を被覆膜１７から簡単に露出させることができる。
【００３７】
〔第２実施形態〕
以下、本発明の第２実施形態について、図４から図６を用いて説明する。
【００３８】
図４に示すように、第２実施形態の吸込グリル（吸込パネル）２は、第１実施形態の吸込グリル１と同様に、天井内に埋設されるタイプの空調装置（図示せず）の下面に設けられた空気吸込口の前面を覆うようにして取り付けて用いられる。吸込グリル２の裏側にはエアフィルタ（図示せず）が取り付けられ、空気吸込口から空調装置の内部に取り込まれる空気から埃が取り除かれるようになっている。
【００３９】
図４に示すように、吸込グリル２は、吸込グリル本体（吸込パネル本体）２１と、被覆部２２とを備えている。第２実施形態の吸込グリル２においては、吸込グリル本体２１は、第１実施形態の吸込グリル１の吸込グリル本体１１と同様に、空気吸込口前面に対して脱着可能となるように略長方形の板状に形成され、空気吸込口前面に取り付けられた状態でこの空気吸込口に取り込まれる空気を通り抜けさせるように形成されている。
【００４０】
被覆部２２は、吸込グリル本体２１の前面を露出及び隠蔽可能となるように吸込グリル本体に対して動作可能に取り付けられている。被覆部２２は、第１の巻取軸（巻取軸）２３、第２の巻取軸（巻取軸）２４、被覆膜２５を含んで構成されている。図４に示すように、第１の巻取軸２３と第２の巻取軸２４は、吸込グリル本体２１の互いに対向する二辺にそれぞれ沿うようにして回転自在に取り付けられている。
【００４１】
被覆膜２５は、例えばポリエチレンシートによって形成され、両端部が第１の巻取軸２３と第２の巻取軸２４とにそれぞれ巻き付けられた状態で吸込グリル本体２１の前面に沿って延在している。図５に示すように、被覆膜２５は、露出部２６と隠蔽部２８とを備えている。被覆膜２５の露出部２６は、吸込グリル本体２１の前面を露出させるように形成された露出孔２７を備えている。隠蔽部２８は、吸込グリル本体２１の前面を隠蔽するように形成されている。
【００４２】
図４に示すように、隠蔽部２８が第１の巻取軸２３に巻き付けられているとき、露出部２６の露出孔２７は、吸込グリル本体２１の前面の略全体を露出させる。この状態で、吸込グリル２は空調装置の空気吸込口の前面に取り付けられて用いられる。
【００４３】
エアフィルタの清掃、交換や空調装置のメンテナンス等の作業を行うために吸込グリル２を空調装置の空気吸込口前面から取り外す際には、図５に示すように、第２の巻取軸２４の一端部に設けられたダイヤル２９を回すことによって、第２の巻取軸２４に被覆膜２５の露出部２６を巻き付けていく。この際、第１の巻取軸２３に内蔵されたバネの復元力によって被覆膜２５が第１の巻取軸２３に巻き戻されようとするが、第２の巻取軸２４の軸受部（図示せず）に生じる摩擦力によって、被覆膜２５は第１の巻取軸２３側に引き戻されることなく、被覆膜２５は第１の巻取軸２３と第２の巻取軸２４との間にたるまずに展張された状態が常に保たれる。これによって、第１の巻取軸２３に巻き付けられていた被覆膜２５の隠蔽部２８が展張されて吸込グリル本体２１の前面の略全体を隠蔽するように吸込グリル本体２１の前面に沿って延在するようになる。
【００４４】
そして、この状態を保ちつつ吸込グリル２を空調装置の空気吸込口前面から取り外し、必要に応じて吸込グリル２の裏側に取り付けられたエアフィルタを取り外して清掃あるいは交換を行う。
【００４５】
エアフィルタの清掃、交換や空調装置のメンテナンス等の作業が終了したら、ダイヤル２９を逆方向に回すことによって第２の巻取軸２４から被覆膜２５の露出部２６を繰り出していく。すると、第１の巻取軸２３に内蔵されたバネの復元力によって被覆膜２５の隠蔽部２８が第１の巻取軸２３に巻き付けられていき、被覆膜２５の露出部２６の露出孔２７から吸込グリル本体１１の前面が再び露出される。そして、吸込グリル１を再び空調装置の空気吸込口前面に取り付ける。
【００４６】
第２実施形態の吸込グリル２によれば、吸込グリル２上に支持されたエアフィルタの清掃や空調装置のメンテナンス等のために空調装置の空気吸込口前面から吸込グリル２を取り外す際に、埃が堆積した吸込グリル本体２１の前面を予め被覆膜２５の隠蔽部２８で隠蔽するように覆った状態で吸込グリル本体２１を空調装置の空気吸込口前面から取り外すことにより、吸込グリル本体２１の表面に堆積した埃が空調装置の下方の室内に落下することを簡単に防止できる。
【００４７】
具体的には、被覆膜２５の露出部２６を第２の巻取軸２４に巻き付けることによって、第１の巻取軸２３に巻き付けられていた被覆膜２５の隠蔽部２８が展張されて、吸込グリル本体２１の前面を隠蔽するように吸込グリル本体２１の前面に沿って延在するようになる。したがって、吸込グリル２を空調装置の空気吸込口前面から取り外す際、簡単な作業で吸込グリル本体２１の前面を被覆膜２５の隠蔽部２８で覆い、吸込グリル本体２１の表面に堆積した埃が空調装置の下方の室内に落下することを簡単に防止できる。
【００４８】
また、被覆膜２５の隠蔽部２８を第１の巻取軸２３に巻き付けることによって、吸込グリル２を空調装置の空気吸込口前面から取り外す際に第２の巻取軸２４の一方に巻き付けた被覆膜２５の露出部２６が展張されて、吸込グリル本体２１の前面に沿って延在するようになり、露出部２６の露出孔２７から吸込グリル本体２１の前面が露出される。したがって、吸込グリル本体２１を空調装置の空気吸込口前面に再び取り付ける際、簡単な作業で吸込グリル本体２１の前面を露出部の露出孔から露出させることができる。
【００４９】
〔第３実施形態〕
以下、本発明の第３実施形態について、図７から図１１を用いて説明する。
【００５０】
図７に示すように、第３実施形態の吸込グリル（吸込パネル）３は、第１実施形態及び第２実施形態の吸込グリル１、２と同様に、天井内に埋設されるタイプの空調装置（図示せず）の下面に設けられた空気吸込口の前面を覆うようにして取り付けて用いられる。吸込グリル３の裏側にはエアフィルタ（図示せず）が取り付けられ、空気吸込口から空調装置の内部に取り込まれる空気から埃が取り除かれるようになっている。
【００５１】
図７に示すように、吸込グリル３は、吸込グリル本体（吸込パネル本体）３１と、被覆部３２とを備えている。第３実施形態の吸込グリル３においては、吸込グリル本体３１は、第１実施形態及び第２実施形態の吸込グリル１、２の吸込グリル本体１１、２１と同様に、空気吸込口前面に対して脱着可能となるように略長方形の板状に形成され、空気吸込口前面に取り付けられた状態でこの空気吸込口に取り込まれる空気を通り抜けさせるように形成されている。
【００５２】
被覆部３２は、吸込グリル本体３１の前面を露出及び隠蔽可能となるように吸込グリル本体に対して動作可能に取り付けられている。被覆部３２は、巻取軸３３と、先端軸３４と、被覆膜３５とを含んで構成されている。巻取軸３３は、吸込グリル本体３１の一辺に沿うようにして回転自在に取り付けられている。先端軸３４は、吸込グリル本体３１の前面に沿って巻取軸３３の長さ方向と略直角な方向に移動可能となるように、吸込グリル本体３１に支持されている。被覆膜３５は、例えばポリエチレンシートによって形成されている。被覆膜３５の一端部３６は巻取軸３３に巻き付けられ、被覆膜３５の他端部３７は先端軸３４に固定されている。
【００５３】
図８は、先端軸３４が吸込グリル本体３１に支持される構造を示す、要部拡大図である。先端軸３４の両端部には、略Ｔ字状の断面形状を有する突出部３９が形成されている。また、先端軸３４の突出部３９に対応する断面形状を有する溝部３８が、吸込グリル本体３１の巻取軸３３が取り付けられた辺を挟む２辺に沿って延在するように形成されている。そして、先端軸３４の両端部の突出部３９が、吸込グリル本体３１の溝部３８に係入されている。この構成により、先端軸３４は、巻取軸３３の長さ方向と略直角な方向に、吸込グリル本体３１の前面に沿って移動可能とされている。
【００５４】
また、図９は、先端軸３４が吸込グリル本体３１に支持される構造の変形例を示す、要部拡大図である。この変形例においては、先端軸３４の両端部には、略Ｔ字状の断面形状を有する溝部３９’が形成されている。また、先端軸３４の溝部３９’に対応する断面形状を有する突出部３８’が、吸込グリル本体３１の巻取軸３３が取り付けられた辺を挟む２辺に沿って延在するように形成されている。そして、吸込グリル本体３１の突出部３８’が、先端軸３４の両端部の溝部３９’に係入されている。このような構成により、先端軸３４は、吸込グリル本体３１の前面に沿って巻取軸３３の長さ方向と略直角な方向に移動可能とされていてもよい。
【００５５】
先端軸３４が巻取軸３３に最も近づいた位置にあるとき、被覆膜３５の略全体は巻取軸３３に巻き付けられて、吸込グリル本体３１の前面の略全体を露出させる。この状態で、吸込グリル２は空調装置の空気吸込口の前面に取り付けられて用いられる。
【００５６】
吸込グリル３を空調装置の空気吸込口前面から取り外す際には、図１０に示すように、先端軸３４を巻取軸３３から遠ざかるように吸込グリル本体３１の前面に沿って移動させることによって、巻取軸３３に巻き付けられた被覆膜３５を吸込グリル本体３１の前面に展張させていく。この際、巻取軸３３に内蔵されたバネの復元力によって被覆膜３５が巻取軸３３に巻き戻されようとするが、先端軸３４の突出部３９あるいは溝部３９’と吸込グリル本体３１の溝部３８あるいは突出部３８’に生じる摩擦力によって、先端軸３４と被覆膜３５は巻取軸３３側に引き戻されることなく、被覆膜３５は巻取軸３３と先端軸３４との間にたるまずに展張された状態が保たれる。これによって、巻取軸３３に巻き付けられていた被覆膜３５が展張されて、吸込グリル本体３１の前面の略全体を隠蔽するように吸込グリル本体３１の前面に沿って延在するようになる。
【００５７】
そして、この状態を保ちつつ吸込グリル３を空調装置の空気吸込口前面から取り外す。この状態で、吸込グリル３の裏側に取り付けられたエアフィルタを取り外して清掃あるいは交換を行う。
【００５８】
エアフィルタの清掃、交換や空調装置のメンテナンス等の作業が終了したら、先端軸３４を巻取軸３３に近づけるように吸込グリル本体３１の前面に沿って移動させることによって、巻取軸３３に内蔵されたバネの復元力によって被覆膜３５が巻取軸３３に巻き付けられていき、被覆膜３５から吸込グリル本体３１の前面が再び露出される。そして、吸込グリル３を再び空調装置の空気吸込口前面に取り付ける。
【００５９】
第３実施形態の吸込グリル３によれば、吸込グリル３上に支持されたエアフィルタの清掃や空調装置のメンテナンス等のために空調装置の空気吸込口前面から吸込グリル３を取り外す際に、埃が堆積した吸込グリル本体３１の前面を予め被覆膜３５で隠蔽するように覆った状態を保ちながら吸込グリル本体３１を空調装置の空気吸込口前面から取り外すことにより、吸込グリル本体３１の表面に堆積した埃が空調装置の下方の室内に落下することを簡単に防止できる。
【００６０】
具体的には、被覆膜３５の他端部３７が固定された先端軸３４を巻取軸３３から遠ざかるように吸込グリル本体３１の前面に沿って移動させることによって、巻取軸３３に巻き付けられていた被覆膜３５が吸込グリル本体３１の前面の略全体を隠蔽するように吸込グリル本体３１の前面に沿って延在するようになる。したがって、吸込グリル３１を空調装置の空気吸込口前面から取り外す際、簡単な作業で吸込グリル本体３１の前面を被覆膜で覆い、吸込グリル本体３１の表面に堆積した埃が空調装置の下方の室内に落下することを簡単に防止できる。
【００６１】
また、被覆膜３５の他端部３７が固定された先端軸３４を巻取軸３３に近づけるように吸込グリル本体３１の前面に沿って移動させ、被覆膜３５を巻取軸３３に巻き付けることによって、被覆膜３５から吸込グリル本体３１の前面が露出される。したがって、吸込グリル本体３１を空調装置の空気吸込口前面に再び取り付ける際、簡単な作業で吸込グリル本体３１の前面を被覆膜から露出させることができる。
【００６２】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００６３】
１、２、３  吸込グリル（吸込パネル）
１１、２１、３１  吸込グリル本体（吸込パネル本体）
１２、２２、３２  被覆部
１３  枠体
１４、１５  両端部
１６  中間部
１７、２５、３５  被覆膜
１８、３６  一端部
１９、３７  他端部
２３  第１の巻取軸（巻取軸）
２４  第２の巻取軸（巻取軸）
２６  露出部
２７  露出孔
２８  隠蔽部
３３  巻取軸
３４  先端軸
【図１】
2011112250.tif 000003
【図２】
2011112250.tif 000004
【図３】
2011112250.tif 000005
【図４】
2011112250.tif 000006
【図５】
2011112250.tif 000007
【図６】
2011112250.tif 000008
【図７】
2011112250.tif 000009
【図８】
2011112250.tif 000010
【図９】
2011112250.tif 000011
【図１０】
2011112250.tif 000012
【図１１】
2011112250.tif 000013